(57)【要約】【課題】ケーブルコネクタを被取付パネルに取り付ける際の作業効率を向上させることができるケーブルコネクタ構造を提供する。【解決手段】複数のケーブル１０が通される貫通穴１６ａが形成された車両パネル１６の貫通穴１６ａの位置に、複数のケーブル１０が挿通されたケーブルコネクタを固定するケーブルコネクタ構造である。そのケーブルコネクタを、シールドパネル３２一辺に、車両パネル１６における貫通穴１６ａを形成する周縁部に係合される位置決め爪３４を設け、他の辺に、位置決め爪３４が係合された状態で周縁部に嵌合される誘い込み爪３６を設け、位置決め爪３４が設けられた辺と対向する位置にボルト３８を取り付けて構成する。また、車両パネル１６に、位置決め爪３４が係合されると共に誘い込み爪３６が嵌合された状態で、ボルト３８の軸に一致するボルト穴を形成する。【選択図】図１
2004103365.tif 000002
【特許請求の範囲】
【請求項１】
複数のケーブルが通される貫通穴が形成された被取付パネルの前記貫通穴の位置に、前記ケーブルが挿通されたケーブルコネクタを固定するケーブルコネクタ構造において、
前記ケーブルが挿通されると共に前記貫通穴を塞ぐサイズの板の一辺に、前記被取付パネルにおける前記貫通穴を形成する周縁部に係合される係合手段を設け、他の辺に、前記係合手段が係合された状態で前記周縁部に嵌合される嵌合手段を設け、前記係合手段が設けられた辺と対向する位置にボルトを取り付けて、前記ケーブルコネクタを構成し、
前記被取付パネルに、前記係合手段が係合されると共に前記嵌合手段が嵌合された状態で、前記ボルトの軸に一致するボルト穴を形成した
ことを特徴とするケーブルコネクタ構造。
【請求項２】
前記板は、導電性の金属材によって形成され、前記ケーブルのシールド層が前記板に接続されている
ことを特徴とする請求項１に記載のケーブルコネクタ構造。
【請求項３】
前記板は、前記被取付パネルの前記周縁部に当接する部分に、弾性材料を隆起させた隆起部が形成されている
ことを特徴とする請求項１に記載のケーブルコネクタ構造。
【請求項４】
前記隆起部の表面を凹凸形状に成形した
ことを特徴とする請求項３に記載のケーブルコネクタ構造。
【発明の詳細な説明】
【０００１】
【発明の属する技術分野】
本発明は、車両などに組み込まれた電気機器に電力を供給するケーブルを接続するためのケーブルコネクタ構造に関する。
【０００２】
【従来の技術】
例えば、車両に組み込まれたモータ等の機器に電力を供給するケーブルを接続する場合、車両のパネルに形成されたケーブルを通すための貫通穴に、予めケーブルを挿通したケーブルコネクタを取り付けて行う。
【０００３】
図３に示すように、従来のケーブルコネクタは、複数のケーブル１０が水密状態に挿通された接地パネル１２及びゴム製のグロメット１４と、グロメット１４を車両パネル１６にボルト１８ａ，１８ｂで固定するためのブラケット２０ａ，２０ｂとを備えて構成されている。なお、接地パネル１２は、グロメット１４とは別に、ボルト２２で車両パネル１６に固定される。
【０００４】
このような構成のケーブルコネクタを車両パネル１６に取り付ける場合の工程を説明する。
【０００５】
図４（ａ）に示すように、予め接地パネル１２及びグロメット１４に挿通された複数のケーブル１０を、車両パネル１６の貫通穴１６ａに通す。この後、車両パネル１６に設けられた位置決め穴１６ｂに、車両パネル１６の一端に設けられた位置決め突起１２ａを挿入し、図４（ｂ）に示すように、接地パネル１２を車両パネル１６の所定位置に合わせる。そして、ボルト２２を、車両パネル１６のボルト穴と中心が一致するように固定されたナット１６ｃに螺合することにより、接地パネル１２を固定する。この後、図４（ｃ）に示すように、グロメット１４の蛇腹状部分１４ａを引き延ばしながら各ブラケット２０ａ，２０ｂを、車両パネル１６のボルト穴の周囲に固定されたナット１６ｄ，１６ｅの位置に合わせ、ボルト１８ａ，１８ｂで図３に示したように、車両パネル１６に固定する。
【０００６】
【発明が解決しようとする課題】
しかし、従来のケーブルコネクタ構造においては、被取付パネルである車両パネル１６にケーブルコネクタを取り付ける際に、車両パネル１６をボルト２２で固定した後、グロメット１４を、各ブラケット２０ａ，２０ｂを２本のボルト１８ａ，１８ｂで固定するといった２工程が必要となる。また、接地パネル１２を取り付ける際に、位置決め穴１６ｂに位置決め突起１２ａを挿通して位置決めを行うが、この際、作業者の目視確認が必要であり、更に接地パネル１２が位置決め穴１６ｂを中心として回転するため、ボルト２２で接地パネル１２を固定するための位置合わせに時間が掛かる。これらの理由から、ケーブルコネクタを被取付パネルに取り付ける際の作業効率が低いという問題がある。
【０００７】
本発明は、かかる点に鑑みてなされたものであり、ケーブルコネクタを被取付パネルに取り付ける際の作業効率を向上させることができるケーブルコネクタ構造を提供することを目的とする。
【０００８】
【課題を解決するための手段】
上記課題を解決するために、本発明のケーブルコネクタ構造は、複数のケーブルが通される貫通穴が形成された被取付パネルの前記貫通穴の位置に、前記ケーブルが挿通されたケーブルコネクタを固定するケーブルコネクタ構造において、前記ケーブルが挿通されると共に前記貫通穴を塞ぐサイズの板の一辺に、前記被取付パネルにおける前記貫通穴を形成する周縁部に係合される係合手段を設け、他の辺に、前記係合手段が係合された状態で前記周縁部に嵌合される嵌合手段を設け、前記係合手段が設けられた辺と対向する位置にボルトを取り付けて、前記ケーブルコネクタを構成し、前記被取付パネルに、前記係合手段が係合されると共に前記嵌合手段が嵌合された状態で、前記ボルトの軸に一致するボルト穴を形成したことを特徴としている。
【０００９】
また、前記板は、導電性の金属材によって形成され、前記ケーブルのシールド層が前記板に接続されていることを特徴としている。
【００１０】
また、前記板は、前記被取付パネルの前記周縁部に当接する部分に、弾性材料を隆起させた隆起部が形成されていることを特徴としている。
【００１１】
また、前記隆起部の表面を凹凸形状に成形したことを特徴としている。
【００１２】
【発明の実施の形態】
以下、本発明の実施の形態について、図面を参照して詳細に説明する。
【００１３】
（実施の形態）
図１（ａ）〜（ｃ）に示すように、本発明の実施の形態に係るケーブルコネクタは、複数のケーブル１０が水密状態に挿通されるグロメット３０及びシールドパネル３２と、シールドパネル３２に固定された１つの位置決め爪３４及び３つの誘い込み爪３６と、位置決め爪３４の対向位置に、グロメット３０及びシールドパネル３２に挿通されて取り付けられたボルト３８とを備えて構成されている。なお、以降の説明で、シールドパネル３２の各爪３４，３６が固定された面を表面とする。また、このケーブルコネクタが取り付けられる車両パネル１６には、図２（ａ）に示す複数のケーブル１０を通すための貫通穴１６ａが形成されている。
【００１４】
シールドパネル３２は、鉄系、銅合金及びアルミニウム等による導電性の金属材による冷間圧延鋼材で形成されており、車両パネル１６に形成された複数のケーブル１０を挿通するための長方形状の貫通穴１６ａを塞ぐ大きさの長方形状を成し、複数のケーブル１０各々のシールド層を接地するための接地パネルの役割を兼用している。
【００１５】
また、シールドパネル３２の表面において、車両パネル１６の貫通穴１６ａの長方形に対応する一方の短手辺端部には位置決め爪３４が固定され、他方の短手辺端部及び両長手辺端部には各々、誘い込み爪３６が固定されている。各爪３４，３６は、シールドパネル３２と同材料によるものである。
【００１６】
位置決め爪３４は、シールドパネル３２との間にコ字状の間隙を形成するＬ字形状を成している。また、各々の誘い込み爪３６は、シールドパネル３２表面に垂直方向に立ち上がって、その端部が長方形の中心方向にやや折り曲がった形状を成している。
【００１７】
グロメット３０は、ＥＰＤＭやＮＢＲ等のゴム材によって形成され、シールドパネル３２の表面の周縁部分を覆い、シールドパネル３２の裏面との間に、複数のケーブル１０が通り、この複数のケーブル１０各々のシールドケース４０を収容する空間を有している。また、グロメット３０において、シールドパネル３２の表面の周縁部分を覆ってトラック形状に隆起した隆起部３０ａの上面は、トラック形状に沿って複数本の溝を形成した凹凸形状に加工されている。
【００１８】
また、車両パネル１６には、グロメット３０及びシールドパネル３２に挿通されて取り付けられたボルト３８が螺合される１つのボルト穴が形成されると共に、そのボルト穴に中心が一致するように１つのナット４２が固定されている。また、ボルト３８は、シールドパネル３２を車両パネル１６に導通状態に接続する接地ボルトの役割も果たす。
【００１９】
このような構成のケーブルコネクタを車両パネル１６に取り付ける場合の工程を説明する。
【００２０】
図２（ａ）に示すように、予めグロメット３０及びシールドパネル３２に挿通された複数のケーブル１０を、車両パネル１６の貫通穴１６ａに通す。この後、図２（ｂ）に示すように、位置決め爪３４を車両パネル１６に引っ掛けてシールドパネル３２を押し込み、位置決め爪３４の一番奥に車両パネル１６が当接した状態で貫通穴１６ａを塞ぐように押し上げると、図２（ｃ）に示すように、各々の誘い込み爪３６が貫通穴１６ａに入り込んで車両パネル１６を押圧することで、車両パネル１６の所定位置にシールドパネル３２が仮固定される。
【００２１】
この際、ボルト３８がナット４２の穴の位置に一致するので、ボルト３８を螺合して締め込むことによって、シールドパネル３２が車両パネル１６に、接地されると共に固定される。
【００２２】
このように、本実施の形態のケーブルコネクタ構造によれば、被取付パネルである車両パネル１６に、位置決め爪３４を挟み込んで押し付けるだけでケーブルコネクタの取付位置を決定することができ、この際ナット４２の穴に軸が定まるボルト３８を締め付けるだけで、ケーブルコネクタを車両パネル１６に固定することができるので、ケーブルコネクタを被取付パネルに取り付ける際の作業効率を向上させることができる。
【００２３】
また、固定されたケーブルコネクタのシールドパネル３２との間には、ゴム製の隆起部３０ａが押しつぶされて介装されるので、水密性を保証することができ、更には、その隆起部３０ａの介装面は凹凸形状となっているので密着性がより高まって、水密性をより向上させることが可能となる。
【００２４】
【発明の効果】
以上説明したように、本発明のケーブルコネクタ構造によれば、複数のケーブルが通される貫通穴が形成された被取付パネルの貫通穴の位置に、ケーブルが挿通されたケーブルコネクタを固定するケーブルコネクタ構造において、ケーブルが挿通されると共に貫通穴を塞ぐサイズの板の一辺に、被取付パネルにおける貫通穴を形成する周縁部に係合される係合手段を設け、他の辺に、係合手段が係合された状態で周縁部に嵌合される嵌合手段を設け、係合手段が設けられた辺と対向する位置にボルトを取り付けて、ケーブルコネクタを構成し、被取付パネルに、係合手段が係合されると共に嵌合手段が嵌合された状態で、ボルトの軸に一致するボルト穴を形成した。従って、被取付パネルに係合手段を係合させることで嵌合手段を嵌合することができ、これによってケーブルコネクタを被取付パネルの所定位置に仮固定することができる。この状態でボルトが被取付パネルのボルト穴位置に配置されているので、係合手段と対向位置のボルトを螺合すればケーブルコネクタを被取付パネルに固定することができる。
【図面の簡単な説明】
【図１】本発明の実施の形態に係るケーブルコネクタ構造を示し、（ａ）は平面図、（ｂ）は（ａ）のＡ−Ａ断面図、（ｃ）は（ａ）のＢ−Ｂ断面図である。
【図２】本発明の実施の形態に係るケーブルコネクタを車両パネルに取り付ける場合の工程の説明図である。
【図３】従来のケーブルコネクタ構造を示す側面図である。
【図４】従来のケーブルコネクタを車両パネルに取り付ける場合の工程の説明図である。
【符号の説明】
１０　ケーブル
１２　接地パネル
１２ａ　位置決め突起
１４，３０　グロメット
１４ａ　グロメットの蛇腹状部分
１６　車両パネル
１６ｃ，１６ｄ，１６ｅ，４２　ナット
１６ａ　貫通穴
１６ｂ　位置決め穴
１８ａ，１８ｂ，２２，３８　ボルト
２０ａ，２０ｂ　ブラケット
３０ａ　隆起部
３２　シールドパネル
３４　位置決め爪
３６　誘い込み爪
４０　シールドケース
【図１】
2004103365.tif 000003
【図２】
2004103365.tif 000004
【図３】
2004103365.tif 000005
【図４】
2004103365.tif 000006